(57)【特許請求の範囲】
【請求項１】
原稿画像を読取光学系により固体撮像素子に入力し、クロック信号生成部により生成されるクロック信号に同期して前記固体撮像素子から出力される画像データ信号に対して画像処理を行う画像処理装置において、
前記クロック信号の周波数を拡散するクロック信号拡散手段を備え、
前記クロック信号拡散手段は、前記クロック信号の周波数をデジタル画像処理における処理過程において拡散し、デジタル画像処理以外の処理過程では拡散しない、
ことを特徴とする請求項１記載の画像処理装置。
【請求項２】
前記クロック信号拡散手段は、前記クロック信号の周波数を画像ノイズ発生に寄与率が低い前記画像データ信号の処理過程において拡散する、
ことを特徴とする請求項１記載の画像処理装置。
【請求項３】
前記クロック信号拡散手段は、前記固体撮像素子から画像データを出力する処理に関る前記クロック信号の周波数は拡散しない、
ことを特徴とする請求項１記載の画像処理装置。
【請求項４】
前記クロック信号拡散手段は、前記固体撮像素子から画像データを出力する処理に関る前記クロック信号の周波数は拡散させず、前記デジタル画像処理に関る前記クロック信号の周波数を拡散する、
ことを特徴とする請求項１記載の画像処理装置。
【請求項５】
請求項１ないし４記載の画像処理装置と、前記画像処理装置により読み取られた画像データを出力する印刷部と、を備える画像形成装置。
【発明の詳細な説明】
【０００１】
【発明の属する技術分野】
本発明は、原稿画像を読取光学系により固体撮像素子に入力してデジタル画像処理を行う画像処理装置及び画像形成装置に関する。
【０００２】
【従来の技術】
特開平9-98152号公報に記載されているように、マイクロプロセッサ等において、データ処理をクロック信号に同期して処理する場合、クロック信号によりＥＭＩ（電磁波障害）を受け易いため、クロック信号の周波数を拡散して振動幅を低減する提案がなされている。
【０００３】
【発明が解決しようとする課題】
デジタル複写機等の画像読取装置においては、固体撮像素子の出力のアナログ処理、デジタル処理、デジタル画像処理等の一連の処理をクロック信号に同期して高速で行うことが要求されているため、クロック信号の周波数及びその高調波の放射レベルが非常に高くなる。カラー画像を処理する場合にはデータ量が３倍（８又は１０ｂｉｔ×３）となるためＥＭＩ放射レベルがさらに高くなる。
【０００４】
ＥＭＩ放射レベルは各国の規制値（例えば日本ではＶＣＣＩ、米国ではＦＣＣ）以内におさめる必要がある。そのために、プリント基板を多層化したり、接続ケーブルにフェライトコアを入れたり、筐体をシールド強化する等の部品構造上の対策を迫られ、コストが増大してしまう。
【０００５】
本発明の目的は、上記のような部品構造上の対策をすることなくＥＭＩ放射レベルを規制値以内におさめることである。
【０００６】
さらに、本発明の目的は、画像ノイズの発生を抑えることである。
【０００７】
【課題を解決するための手段】
請求項１記載の画像処理装置は、原稿画像を読取光学系により固体撮像素子に入力し、クロック信号生成部により生成されるクロック信号に同期して前記固体撮像素子から出力される画像データ信号に対して画像処理を行う画像処理装置において、前記クロック信号の周波数を拡散するクロック信号拡散手段を備え、前記クロック信号拡散手段は、前記クロック信号の周波数をデジタル画像処理における処理過程において拡散し、デジタル画像処理以外の処理過程では拡散しない、ことを特徴とする。
【０００８】
したがって、クロック信号の周波数がクロック信号拡散手段により拡散されるため、部品構造上の対策をすることなくＥＭＩ放射レベルを規制値以内におさめることが可能となる。また、画像処理過程において、画像ノイズ発生に寄与率が高い処理過程では、クロック信号の周波数を拡散せず、それ以外の過程ではクロック信号の周波数を拡散することが可能となり、したがって、画像ノイズ発生を抑制した上でＥＭＩ放射レベルを規制値以内におさめることが可能となる。
【０００９】
請求項２記載の画像処理装置は、請求項１記載の発明において、前記クロック信号拡散手段は、前記クロック信号の周波数を画像ノイズ発生に寄与率が低い前記画像データ信号の処理過程において拡散する、ことを特徴とする。画像ノイズ発生に寄与率が低い過程ではクロック信号の周波数を拡散することで、ＥＭＩ放射レベルを規制値以内におさめることが可能となる。
【００１０】
請求項３記載の画像処理装置は、請求項１記載の発明において、前記クロック信号拡散手段は、前記固体撮像素子から画像データを出力する処理に関る前記クロック信号の周波数は拡散しない、ことを特徴とする。画像ノイズ発生に寄与率が低い過程ではクロック信号の周波数を拡散することで、ＥＭＩ放射レベルを規制値以内におさめることが可能となる。
【００１１】
請求項４記載の画像処理装置は、請求項１記載の発明において、前記クロック信号拡散手段は、前記固体撮像素子から画像データを出力する処理に関る前記クロック信号の周波数は拡散させず、前記デジタル画像処理に関る前記クロック信号の周波数を拡散する、ことを特徴とする。画像ノイズ発生に寄与率が高い処理過程では、クロック信号の周波数を拡散せず、それ以外の過程ではクロック信号の周波数を拡散することが可能となり、したがって、画像ノイズ発生を抑制した上でＥＭＩ放射レベルを規制値以内におさめることが可能となる。
【００１２】
請求項５記載の画像形成装置は、請求項１ないし４の何れか一記載の画像処理装置と、前記画像処理装置により読み取られた画像データを出力する印刷部と、を備える。
【００１４】
したがって、原稿画像の読み取りに際してはクロック信号の周波数がクロック信号拡散手段により拡散されるため、部品構造上の対策をすることなくＥＭＩ放射レベルを規制値以内におさめることが可能となる。これにより、印刷に際しては画像品質を高めることが可能となる。
【００１５】
【発明の実施の形態】
本発明の第一の実施の形態を図１ないし図３に基いて説明する。図１は画像読取装置の概略構成を示す縦断正面図、図２は電気的接続構成を示すブロック図、図３はクロック信号の波形とその周波数を拡散した波形とを示すグラフである。
【００１６】
図１において、画像読取装置１の筐体２の上面には、コンタクトガラス３と、このコンタクトガラス３の上に原稿４を押圧する圧板（図示せず）とが設けられている。また、コンタクトガラス３の一端近傍にはシェーディング補正用の白基準板５が設けられている。
【００１７】
また、筐体２の内部には、原稿画像を固体撮像素子であるＣＣＤ６に入力する読取光学系７が設けられている。この読取光学系７は、第一走行体８に搭載されたハロゲンランプ９及び第一ミラー１０と、第二走行体１１に搭載された第二ミラー１２及び第三ミラー１３と、ＣＣＤ６の前面に対向する収束レンズ１４とよりなる。第一走行体８と第二の走行体１１とは、モータ（図示せず）により走行速度が１対２の関係で走行するように設けられている。すなわち、第一走行体８と第二走行体１１とを矢印Ａ方向に走行させる過程で、コンタクトガラス３上の原稿４の画像がハロゲンランプ９により照明され、原稿４の反射画像が第一、第二、第三ミラー１０，１２，１３により偏向され収束レンズ１４により収束されてＣＣＤ６に入力されるように構成されている。
【００１８】
ＣＣＤ６はＲ（赤），Ｇ（緑），Ｂ（青）に色分解された画像を読み取り可能で、このＣＣＤ６はセンサ基板１５に設けられている。このセンサ基板１５はケーブル１６により信号処理基板１７に接続されている。
【００１９】
図２に示すように、ＣＣＤ６には、アナログ処理部１８、Ａ／Ｄコンバータ１９、デジタル画像処理部２０が順次接続されている。基準のクロック信号を生成するクロック信号生成部としての水晶発振器（以下ＯＳＣと称する）２１は、クロック信号の周波数を拡散するクロック信号拡散手段としての拡散スペクトラム・クロック生成回路（以下ＳＳＣＧと称する）２２と、タイミング回路２３とを介してＣＣＤ６、アナログ処理部１８、Ａ／Ｄコンバータ１９、デジタル画像処理部２０のそれぞれに接続されている。
【００２０】
次に、ＣＣＤ６から出力される画像データ信号の処理について説明する。原稿４の画像をＣＣＤ６に入力する動作については既に説明したので省略する。ＣＣＤ６から出力された画像データ信号は、アナログ処理部１８によりクランプ、サンプリングホールドされ、Ａ／Ｄコンバータ１９により８ｂｉｔのデジタル信号に変換され、デジタル画像処理部２０により所定の画像処理を施された後に、プリンタ部（図示せず）に出力される。
【００２１】
この一連の画像処理の過程において、各ブロック（ＣＣＤ６、アナログ処理部１８、Ａ／Ｄコンバータ１９、デジタル画像処理部２０）に与えられるタイミング回路２３からのタイミング信号は、ＯＳＣ２１から出力されたクロック信号の周波数をＳＳＣＧ２２により拡散した信号である。
【００２２】
ＯＳＣ２１から出力されたクロック信号は、図３に実線で示すようにスペクトラム分布幅が狭くＥＭＩ放射レベルが高い。これに対し、ＳＳＣＧ２２により拡散された信号は、図３に点線で示すように所定の拡散率（例えば±１％）で元のクロック信号を拡散した分スペクトラム分布幅が広くＥＭＩ放射レベルが低くなる。
【００２３】
したがって、部品構造上の対策をすることなく、安価にＥＭＩ放射レベルを規制値以内におさめることができる。
【００２４】
次に、本発明の第二の実施の形態を図４に基いて説明する。前記実施の形態と同一部分については同一符号を用い説明も省略する。
【００２５】
本実施の形態は、画像ノイズ発生に寄与率が高い処理過程、具体的にはＣＣＤ６から画像データ信号を出力する過程、アナログ処理部１８で画像データ信号を処理する過程、Ａ／Ｄコンバータ１９で画像データ信号をデジタル信号に変換する過程では、クロック信号の周波数を拡散せず、それ以外のデジタル画像処理部２０での処理過程ではクロック信号の周波数を拡散するために、ＯＳＣ２１を、タイミング回路２３を介してＣＣＤ６、アナログ処理部１８、Ａ／Ｄコンバータ１９のそれぞれに接続するとともに、ＳＳＣＧ２２とタイミング回路２３とを介してデジタル画像処理部２０に接続した構成である。
【００２６】
このような構成において、ＣＣＤ６から画像データ信号を出力させるときから画像データ信号をデジタル信号に変換するまでの処理過程は、画像ノイズ発生に寄与率が高い処理過程であり、この処理過程ではクロック信号を拡散しないで画像ノイズ発生を抑制し、それ以後のデジタル画像処理に関るクロック信号の周波数を拡散することにより、ＥＭＩ放射レベルを規制値以内におさめることが可能となる。
【００２７】
次に、図５を参照し、上記の画像読取装置１を備えた画像形成装置の一例について説明する。本実施の形態における画像形成装置はデジタル複写機Ｃであるが、画像読取装置１を備える画像形成装置は複写機以外にファクシミリなどを含むものである。
【００２８】
図５に示すように、デジタル複写機Ｃの本体１００の上部には前述の画像読取装置１が設けられている。また、本体１００の内部には印刷部１０１が設けられている。この印刷部１０１は、帯電器１０２により感光体１０３の表面を一様に帯電し、その帯電部分に光書き込み装置１０４によって書き込まれた静電潜像を現像器１０５により現像し、その現像画像を転写ベルト１０６により用紙に転写し、その転写画像を定着器１０７により定着し、次の画像を形成するために感光体１０３の表面をクリーニングユニット１０８により清掃する公知の構成である。上記の光書き込み装置１０４は、前述した画像読取装置１により読み取られた画像データに基づいて変調されたレーザー光を感光体１０３に照射して静電潜像を形成する偏向走査型である。しかし、感光体１０３の軸方向に沿って多数の発光素子を備え、それらの発光素子を選択的に発光させて感光体１０３の表面に静電潜像を形成するライン型の光書き込み部を用いても構わない。
【００２９】
また、本実施の形態におけるデジタル複写機Ｃは、公知の給紙部１０９，１１０，１１１を備え、これらの給紙部１０９，１１０，１１１から排紙部（排紙トレイ）１１２に至る用紙搬送通路１１３には、用紙Ｓを搬送する用紙搬送部材１１４，１１５，１１６，１１７が配列されている。したがって、選択された給紙部１０９，１１０，１１１の何れかから給紙された用紙Ｓが用紙搬送通路１１３に案内されて排紙部１１２に排紙される過程で印刷部１０１により画像が印刷される。
【００３０】
【発明の効果】
請求項１記載の画像処理装置によれば、クロック信号生成部により生成されるクロック信号に同期して前記固体撮像素子から出力される画像データ信号に対して画像処理を行う画像処理装置において、前記クロック信号の周波数を拡散するクロック信号拡散手段を備え、前記クロック信号の周波数をデジタル画像処理における処理過程において拡散し、デジタル画像処理以外の処理過程では拡散しない、ことによりＥＭＩ放射レベルを規制値以内におさめることができる。また、部品構造上の対策をすることなくＥＭＩ放射レベルを規制値以内におさめることができる。
【００３１】
請求項２記載の画像処理装置によれば、請求項１記載の発明において、クロック信号の周波数を画像ノイズ発生に寄与率が低い画像データ信号の処理過程において拡散することしたので、画像ノイズ発生に寄与率が低い過程ではクロック信号の周波数を拡散して、画像ノイズ発生を抑制した上でＥＭＩ放射レベルを規制値以内におさめることが可能となる。
【００３２】
請求項３記載の画像処理装置によれば、請求項１記載の発明において、前記固体撮像素子から画像データを出力する処理に関る前記クロック信号の周波数は拡散しないこととしたので、画像ノイズ発生に寄与率が低い過程ではクロック信号の周波数を拡散して、画像ノイズ発生を抑制した上でＥＭＩ放射レベルを規制値以内におさめることが可能となる。
請求項４載の画像処理装置によれば、請求項１記載の発明において、固体撮像素子から画像データを出力する処理に関る前記クロック信号の周波数は拡散させず、前記デジタル画像処理に関る前記クロック信号の周波数を拡散することとしたので、画像ノイズ発生に寄与率が高い処理過程ではクロック信号の周波数を拡散せず、それ以外の過程ではクロック信号の周波数を拡散することが可能となり、画像ノイズ発生を抑制した上でＥＭＩ放射レベルを規制値以内におさめることが可能となる。
【００３３】
請求項５記載の画像形成装置は、請求項１ないし４の何れか一記載の画像処理装置と、前記画像処理装置により読み取られた画像データを出力する印刷部と、を備える。
【図面の簡単な説明】
【図１】本発明の第一の実施の形態における画像読取装置の概略構成を示す縦断正面図である。
【図２】電気的接続構成を示すブロック図である。
【図３】クロック信号の波形とその周波数を拡散した波形とを示すグラフである。
【図４】本発明の第二の実施の形態における電気的接続構成を示すブロック図である。
【図５】画像読取装置が搭載された画像形成装置の一例を示す縦断正面図である。
【符号の説明】
１  画像読取装置
４  原稿
６  固体撮像素子
７  読取光学系
２１  クロック信号生成部
２２  クロック信号拡散手段
１０１  印刷部
Ｓ  用紙
【図１】
0003828331.tif 000002
【図２】
0003828331.tif 000003
【図３】
0003828331.tif 000004
【図４】
0003828331.tif 000005
【図５】
0003828331.tif 000006